(57)【要約】【課題】  放送番組と携帯電話が持つ機能とを連動させることにより、放送番組をより楽しむことのできるサービスを提供する。【解決手段】携帯電話端末１を用いた放送番組連動型家電機器制御システムは、放送番組と連動して作成される家電機器の制御データを配信するコンテンツサーバ３と、配信された制御データに基づき周辺にレイアウトされた家電機器１０を制御する携帯電話端末１で構成される。【選択図】      図１
2005333367.tif 000002
【特許請求の範囲】
【請求項１】
家電機器を制御する携帯電話端末であって、
放送番組における所定の場面の時刻と前記家電機器の制御データが関係付けられ記憶される制御データ記憶部と、
前記制御データ記憶部から前記制御データを読み出し、前記時刻に基づいて前記家電機器を制御する家電機器制御部と、
を具備することを特徴とする携帯電話端末。
【請求項２】
前記制御データを、通信ネットワークを介して接続されるコンテンツサーバから取得する制御データ取得部と、
を具備することを特徴とする請求項１に記載の携帯電話端末。
【請求項３】
前記コンテンツサーバが管理する時刻に同期して前記家電機器制御部を制御するタイマ監視部と、
を具備することを特徴とする請求項１または２に記載の携帯電話端末。
【請求項４】
ユーザから受信チャンネルの指定があったとき、前記制御データ記憶部を参照し、前記指定されたチャンネルに該当する制御データを読み出して前記家電機器制御部へ供給する制御データ切替部と、
を具備することを特徴とする請求項１〜３のいずれか１項に記載の携帯電話端末。
【請求項５】
ユーザが使用する家電機器と、当該家電機器用の制御信号パターンとを対応付けるユーザ設定部を更に備え、前記家電機器制御部は、前記御データを読み出した時に、前記対応付けに従う制御信号パターンを出力することを特徴とする請求項１〜４のいずれか１項に記載の携帯電話端末。
【請求項６】
放送番組における所定の場面の時刻と前記家電機器の制御データとを関係付けて配信するコンテンツサーバと、
前記コンテンツサーバとは通信ネットワークを介して接続され、前記配信された制御データに基づき前記家電機器を制御する携帯電話端末と、
を具備することを特徴とする携帯電話端末を用いた放送番組連動型家電機器制御システム。
【請求項７】
家電機器を制御する携帯電話端末に用いられる端末プログラムであって、
放送番組における所定の場面の時刻と前記家電機器の制御データを関係付けて記憶する処理と、
前記制御データを読み出し、前記時刻に基づいて前記家電機器を制御する処理と、
をコンピュータに実行させる端末プログラム。
【請求項８】
家電機器を制御する携帯電話端末に用いられるプログラムを記録したコンピュータ読み取り可能な記録媒体であって、
放送番組における所定の場面の時刻と前記家電機器の制御データを関係付けて記憶する処理と、
前記制御データを読み出し、前記時刻に基づいて前記家電機器を制御する処理と、
をコンピュータに実行させるプログラムを記録した記録媒体。
【発明の詳細な説明】
【技術分野】
【０００１】
本発明は、放映中の放送番組と連動して家電機器を制御する、携帯電話端末、および同端末を用いた放送番組連動型化家電機器制御システム、ならびに端末プログラム、同プログラムを記録した記録媒体に関する。
【背景技術】
【０００２】
放送局が提供する番組に対して付加的な情報を提供する方法として、例えば、ＢＳデジタル放送が提供する文字放送、あるいは、インターネットを利用したストリーミングによりコンテンツをサーバからダウンロード提供する方法が知られている。上記したコンテンツは主として、映像や音声、あるいは文字を含み、コンテンツ利用者側では、放送番組の他にこれらを視聴することができる。
一方、放送番組に応じてテレビ受像機周辺にあるエアコンや照明機器等の周辺装置を制御する放送番組送受信システムも知られている（例えば、特許文献１参照）。
【特許文献１】特開２００３−１２２６７９号公報
【発明の開示】
【発明が解決しようとする課題】
【０００３】
上記した特許文献１に開示された技術によれば、放送波に番組情報の他に、周辺機器を動作させるための制御情報が重畳され、受信装置が番組データを表示出力する一方で、例えば、エアコンの室温調整、あるいは照明器具のＯＮ／ＯＦＦ等家電機器の制御を実行することができる。このために、ユーザは専用のテレビを必要とし、また、放送局側においても放送波に制御情報を重畳するための設備等を必要とし、実用的でない。
一方、上記した放送サービスにおいて、単なる家電機器の制御とは別に、よりユーザの興味をひくサービスの提供が要求されている。例えば、画面に放映される放送番組と連動して演出効果を得たいという要望がある。
【０００４】
本発明は上記諸々の事情に基づきなされたものであり、携帯電話端末を活用し、放送番組と携帯電話が持つ機能とを連動させることにより家電機器を制御して、放送番組をより楽しむことのできる、携帯電話端末、および同端末を用いた放送番組連動型家電機器制御システム、ならびに端末プログラム、同プログラムを記録した記録媒体を提供することを目的とする。
【課題を解決するための手段】
【０００５】
上記した課題を解決するために本発明の一実施形態は、家電機器を制御する携帯電話端末であって、放送番組における所定の場面の時刻と前記家電機器の制御データが関係付けられ記憶される制御用データ記憶部と、前記制御データ記憶部から前記制御データを読み出し、前記時刻に基づいて前記家電機器を制御する家電機器制御部と、を具備することを特徴とする。
【０００６】
また、本発明の一実施形態において、前記制御データを、通信ネットワークを介して接続されるコンテンツサーバから取得する制御データ取得部とを具備しても良い。
【０００７】
また、本発明の一実施形態において、前記コンテンツサーバが管理する時刻に同期して前記家電機器制御部を制御するタイマ監視部を具備しても良い。
【０００８】
また、本発明の一実施形態において、ユーザから受信チャンネルの指定があったとき、前記制御データ記憶部を参照し、前記指定されたチャンネルに該当する制御データを読み出して前記家電機器制御部へ供給する制御用データ切替部を具備しても良い。
【０００９】
また、本発明の一実施形態において、ユーザが使用する家電機器と、当該家電機器用の制御信号パターンとを対応付けるユーザ設定部を更に備え、前記制御部は、前記御データを読み出した時に前記対応付けに従う制御信号パターンを出力することも特徴とする。
【００１０】
また、本発明の一実施形態は、放送番組における所定の場面の時刻と前記家電機器の制御パターンとを関係付けたデータを配信するコンテンツサーバと、前記コンテンツサーバとは通信ネットワークを介して接続され、前記配信された制御パターンデータに基づき前記家電機器を制御する携帯電話端末と、を具備することを特徴とする携帯電話端末を用いた放送番組連動型家電機器制御システムである。
【００１１】
また、本発明の一実施形態は、家電機器を制御する携帯電話端末に用いられる端末プログラムであって、放送番組における所定の場面の時刻と前記家電機器の制御データを関係付けて記憶する処理と、前記制御データを読み出し、前記時刻に基づいて前記家電機器を制御する処理とをコンピュータに実行させることを特徴とする。
【００１２】
また、本発明の一実施形態は、家電機器を制御する携帯電話端末に用いられるプログラムを記録したコンピュータ読み取り可能な記録媒体であって、放送番組における所定の場面の時刻と前記家電機器の制御データを関係付けて記憶する処理と、前記制御データを読み出し、前記時刻に基づいて前記家電機器を制御する処理と、をコンピュータに実行させるプログラムを記録した記録媒体である。
【発明の効果】
【００１３】
本発明によれば、放送番組と携帯電話が持つ機能とを連動させることにより家電機器を制御して放送番組の演出効果を高めることができ、ユーザは、ＴＶ画面に表示される放送番組を、臨場感をもってより楽しむことができる。
また、ユーザは専用のテレビを用いることなく、放送局側では特定の設備を必要とすることなく上記した家電機器の制御が可能となる。
【発明を実施するための最良の形態】
【００１４】
図１は、本発明の一実施形態に係わる放送番組連動型家電機器制御システムのシステム構成を説明するために引用した図である。
図１において、符号１は、携帯電話端末であり、赤外線により、テレビ、エアコン、照明等の電気機器１０のリモコン機能を持つ。携帯電話端末１が持つリモコン機能については、例えば、特開２００３−７８９７７号公報により周知である。ここでは、携帯電話端末１は、放送番組と連動して、例えば、ユーザが恐怖番組の視聴中に室温を低く制御し、あるいは照明を点滅させる等、家電機器を制御して演出効果を高める機能を持つ。なお、符号２は、放送番組が放映されるＴＶ受像機である。
【００１５】
また、符号３は、コンテンツプロバイダが管理するコンテンツサーバであり、放送番組と連動して作成される家電機器１０の制御データを保存し、携帯端末１からの要求に基づきその配信サービスを行う。このため、コンテンツサーバ３は、ＩＰ（Internet Protocol）網５ならびに携帯電話網６、そして、基地局７経由で携帯電話端末１に接続される。
符号４は、放送局に設置される放送システムであり、放送システム４は、放送番組を地上波等により家庭内のＴＶ受像機２に放映する。また、放送システム４は、ＩＰ網５を介してコンテンツサーバ３に接続されることもあり、この場合、両者間で番組情報等のやりとりが行われても良い。
【００１６】
図２は、図１に示す本発明実施形態の携帯電話端末１の内部構成を機能展開して示したブロック図である。
本発明実施形態に係わる携帯電話端末１は、制御データ記憶部１１と、家電機器制御部１２と、制御データ取得部１３と、制御データ切替部１４と、タイマ設定監視部１５と、チャンネル（ＣＨ）検出部１６と、ＣＨ指示出力部１７と、ＣＨ指示部１８と、ユーザ設定部１９と、パターン記憶部２０で構成される。
【００１７】
制御データ記憶部１１には、コンテンツサーバ３から配信される、放送番組と連動するための家電機器１０の制御データが格納される。ここで、「連動」とは、上記したように、例えば、放送番組で恐怖等により戦慄が走るシーンでリアルタイムに室温を急激に下げ、あるいは照明を点滅する等、家電機器１０を制御して恐怖を煽るための演出を行い、放送内容と関係付ける家電機器の動作をいう。
このため、家電機器制御部１２は、データ記憶部１１から制御データを読み出し、家電機器１０を制御する機能を持つ。
【００１８】
一方、制御データ取得部１３は、家電機器１０の制御データを、ＩＰ網５を介して接続されるコンテンツサーバ３から取得する機能を持ち、また、制御データ切替部１４は、ユーザから受信チャンネルの指定があったとき、制御データ記憶部１１を参照し、指定されたチャンネルに該当する制御データを読み出して家電機器制御部１１へ供給する機能を持つ。
なお、タイマ設定監視部１５は、コンテンツサーバ３が管理する時刻に同期して家電機器制御部１２を制御する機能を持ち、また、ＣＨ検出部１６は、リモコン機能（チャンネルリモコン）によってユーザからの受信チャンネルの指示を検出して制御データ切替部１４を起動する機能を持つ。ユーザからの受信チャンネルの指示は、ＣＨ指示部１８を経由して伝達され、また、ＣＨ指示出力部１７がＴＶ受像機２を制御する。
【００１９】
一方、ユーザ設定部１９は、ユーザが使用する家電機器１０と、当該家電機器１０用の制御信号パターンとを対応付ける機能を持ち、家電機器制御部１２は、制御データ記憶部１１から制御データを読み出した時に、その対応付けに従う制御信号を出力して家電機器１０を制御する。パターン記憶部２０は、そのときに使用される制御信号パターンを記憶する。詳細は後述する。
【００２０】
図３は、本発明実施形態に係わる放送番組連動型家電機器制御システムの動作を示す動作シーケンス図である。ここでは、携帯電話端末１とコンテンツサーバ３の関係が示されている。
図３において、携帯電話端末１は、まず、コンテンツサーバ３に対してＩＰ網５を介して同期時刻取得要求を発行する（Ｓ３１）。これを受けたコンテンツサーバ３は、要求のあった携帯電話端末１に対して自身が管理している現在時刻データを送信する（Ｓ３２）。このことにより、携帯電話端末１とコンテンツサーバ３は、共通の時刻データを用い同期した動作が可能になる。
【００２１】
続いて、コンテンツサーバ３は、携帯電話端末１に対して家電機器１０の制御データを送信する（Ｓ３３）。制御データの一例は図５に示されている。
図５に示されるように、制御データは、チャンネル（ＣＨ１〜ＣＨｎ）毎、放送番組と連動するように作成されている家電機器１０の制御パターンであって、プログラムされた時間、家電機器、および当該家電機器の制御パターン（例えば照明の場合、ＯＦＦ、エアコンの場合その室温等）から構成される。この制御データは、コンテンツサーバ３のデータベース（図示せず）に保持されている。
制御データは、例えば、１週間等、所定の間隔を単位に更新され、携帯電話端末１は、その更新期間内に制御データの配信要求を発行し（Ｓ３４）、コンテンツサーバ３からその配信を受ける（Ｓ３５）。
【００２２】
なお、携帯電話端末１はリモコン機能を持ち、あらかじめ、ユーザは、使用している家電機器１０毎にそのメーカ名を指定して携帯電話端末１から発信される赤外線信号（制御信号）をカスタマイズしておく必要がある。
【００２３】
図４は、本発明一実施形態に係わる携帯電話端末１の処理手順を示すフローチャートである。以下、図４に示すフローチャートを参照しながら図２に示す携帯電話端末１の動作について詳細に説明する。
ここでは、ユーザが携帯電話端末１のアプリケーションプログラム（以下、単にアプリケーションという）を起動することによって放送番組と連動した家電機器１０の制御をするための処理が開始される（Ｓ４１）。まず、携帯電話端末１は、コンツンサーバ３から同期のための時刻データを取得し（Ｓ４２）、同時にタイマ設定監視部１５がタイマ設定を行うことで、携帯電話端末１が家電機器１０を制御するための時刻設定がなされ、以降、携帯電話端末１は、コンテンツサーバ３と同期した動作が可能になる（Ｓ４３）。
【００２４】
携帯電話端末１は、更に、制御データ取得部１３を起動してコンテンツサーバ３から放送番組に連動するための家電機器１０の制御データを複数チャンネル分纏めて取得し、制御データ記憶部１１に保持する（Ｓ４４）。
続いて、アプリケーションが未だ終了しておらず（Ｓ４５、Ｎｏ）、チャンネル指定があったことを確認したとき（Ｓ４６、Ｙｅｓ）、ＣＨ検出部１６により起動された制御データ切替部１４は、振制御データ記憶部１１から該当チャンネル（ここでは、ＣＨ１とする）の制御データを読み出して家電機器制御部１２へ供給する（Ｓ４７、Ｓ４８）。
【００２５】
家電機器制御部１２は、タイマ設定監視部１５による時間監視信号を得、例えば、照明をＯＦＦする時刻（図５に示す例では、１０：００）に達したときに家電機器１０の照明をＯＦＦする（Ｓ４９、Ｓ５０）。
なお、照明をＯＦＦするにあたり、ユーザが持つ携帯電話端末１に、ユーザが使用する家電機器１０と、その機器専用の制御信号パターンとを対応付けておく、所謂リモコンのカスタマイズ操作を行っておく必要がある。図６に、このために用意されるパターンＤＢ（２０）のデータ構造の一例が示されている。具体的には、パターンＤＢ（２０）には、家電機器のメーカ毎の信号パターンが定義されている。このため、ユーザ設定部１９は、使用している家電製品毎、ユーザによって指定されたメーカ名を取り込みそのメーカ仕様に従う信号パターンを登録しておく。
【００２６】
上記した前処理を経て、家電機器制御部１２は、制御データ記憶部１１から制御データを読み出したとき、家電機器１０のメーカ仕様に従う信号パターンを検出し（Ｓ５０）、ユーザ毎にカスタマイズされた信号を出力することで（Ｓ５１）、ユーザが使用している家電機器１０を制御することができる。
一方、チャンネル指定がない場合（Ｓ４６、Ｎｏ）には、家電機器制御部１２は、タイマ設定監視部１５による時間監視信号を得、例えば、照明をＯＦＦする時刻に達したときに家電機器１０の照明をＯＦＦする制御を行う（Ｓ４９）。以上の処理（Ｓ４５〜Ｓ５０）は、アプリケーションが終了するまで（Ｓ４５、Ｙｅｓ）繰り返し行われる。
【００２７】
なお、本発明実施形態の応用として、部屋毎に家電機器があって、必ずしもその製造メーカが一致しない場合、部屋毎にレイアウトされた家電製品とその製造メーカの組を定義したリモコンセットを持つことで、ユーザが部屋を移動する毎、その部屋の別を指定するだけで信号パターンの組み合わせを決定することができる。このことにより、制御データ記憶部１１から読み出される制御データを選択されたリモコンセットに従う信号パターンで家電機器１０の制御が可能となり、携帯電話端末のモビリティを十分活用することができる。また、部屋別とする代わりに、家庭内に複数台あるテレビ受像機２のそれぞれについて、テレビ受像機２とその周辺の家電機器１０についての製造メーカの組を定義したリモコンセットを持ち、使用するテレビ受像機２を決定することにより、使用するリモコンセットを選択して家電機器１０の制御を行うことができる。
【００２８】
以上説明のように本発明によれば、携帯電話端末１は、コンテンツサーバ３か放送番組と連動して作成された家電機器１０を制御するための制御データを取得しておき、ユーザからチャンネル指示を受信したときにＴＶ受像機２のチャンネルを変更すると共に、該当チャンネルの制御データを読み出し、当該制御データに従い周辺にレイアウトされた家電機器１０を制御する。
このことにより、放送番組の進行と家電機器１０の制御とを連動させることができ、画面上のみならず、周辺にレイアウトされた家電機器１０を活用して放送番組の演出効果を高めるものであり、ユーザは、臨場感をもって放送番組を楽しむことができる。
【００２９】
なお、図２に示す、家電機器制御部１２と、制御データ取得部１３と、制御データ切替部１４と、タイマ設定監視部１５と、ＣＨ検出部１６と、ＣＨ指示出力部１７と、ＣＨ指示部１８と、ユーザ設定部１９のそれぞれで実行される手順をコンピュータ読み取り可能な記録媒体に記録し、この記録媒体に記録されたプログラムをコンピュータシステムに読み込ませ、実行することによって本発明の携帯電話端末を実現することができる。ここでいうコンピュータシステムとは、ＯＳや周辺機器等のハードウェアを含む。
【００３０】
また、「コンピュータシステム」は、ＷＷＷシステムを利用している場合であれば、ホームページ提供環境（あるいは表示環境）も含むものとする。また、「コンピュータ読取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３２】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３３】
【図１】本発明実施携形態に係わる携帯電話端末を用いた放送番組連動型家電機器制御システムのシステム構成の一例を示す図である。
【図２】本発明実施形態に係わる携帯電話端末の内部構成を機能展開して示したブロック図である。
【図３】本発明実施形態に係わる携帯電話端末を用いた放送番組連動型家電機器制御システムの動作シーケンス図である。
【図４】本発明実施形態に係わる携帯電話端末の処理の流れを示すフローチャートである。
【図５】本発明実施形態において使用される家電機器の制御データの一例を示す図である。
【図６】本発明実施形態において使用されるパターンデータの一例を示す図である。
【符号の説明】
【００３４】
１…携帯電話端末、２…ＴＶ受像機、３…コンテンツサーバ、４…放送システム、５…ＩＰ網、６…携帯電話網、１０…家電機器、１１…制御データ記憶部、１２…家電機器制御部、１３…制御データ取得部、１４…制御データ切替部、１５…タイマ設定監視部、１６…チャンネル検出部、１７…チャンネル指示出力部、１８…チャンネル指示部、１９…ユーザ設定部、２０…パターン記憶部
【図１】
2005333367.tif 000003
【図２】
2005333367.tif 000004
【図３】
2005333367.tif 000005
【図４】
2005333367.tif 000006
【図５】
2005333367.tif 000007
【図６】
2005333367.tif 000008